(57)【要約】      （修正有）【課題】災害に強い、倒壊しにくい建家、住宅を提供する。【解決手段】従来の基礎（ベタ基礎、布基礎、杭基礎）の中に基台座（建柱受鉄骨角パイプ、アンカーボルト、杭、基礎鉄筋の基台）を組設し、その基台座に組設される建柱受角パイプで建家の建柱を胞胎、固設し、更にその建柱受角パイプ直下に埋設する杭をも、その角パイプの中で、繋設具を用いて繋設し、杭と基台座（横設ステージ）と建柱受角パイプに支持された建柱は、その建柱受角パイプが基礎面上相当な長さ迄建柱を胞胎し繋設する。その建家が木造である場合の建柱の強度は、その柱の中折れに比して災害に対する強度を高める。【選択図】図１
2016084690.tif 000002
【特許請求の範囲】
【請求項１】
家屋の建築に於ける基礎部に関して、基礎上に建ち上げる建家の建柱を鉄骨角パイプで胞胎し、その鉄骨角パイプは基礎コンクリート内に構築する簡易梯子型基台ステージに組設し固設する。
その建柱を胞胎する鉄骨角パイプは、建柱胞胎部（布〈帯〉基礎コンクリート上）と杭繋設部から成り、その建柱受角パイプは、杭との繋設と安定のため捨コンクリート面上を基盤として建ち上がり、フーチング基礎上に延設する基台ステージに挾設され乍ら、布（帯）基礎部に於いて、その四壁面に多段式の鉄筋嵌設金具を固設して、角建柱受角パイプ設置間の配力筋を繁設し、又、その鉄筋嵌設金具の角パイプの建家に於ける角隅は、角パイプの鉄壁面に基礎コンクリートが遮断される軟弱を負うため、その角隅部にあたる鉄筋嵌設穴は、上方斜傾に向けて切除し開放しており、それは配力筋の他にＬ型補強筋を重設し、又、その建柱受角パイプは建柱への耐震補強のため、隣接する角パイプの繁設に延設するステージと建柱受角パイプ対面に設置の鉄筋嵌設金具上段鉄筋穴との間に筋交いを取り、それらをボルトで固設して強度を高め、その角パイプ外壁に設けた鉄筋嵌設金具固設直上には、その角パイプ真下に埋設する杭との繁設ボルトが貫通孔で並設しており、埋設の杭頭に設置の∩型吊金具に繁設Ｊ鉄筋又はアンカーボルトを用いて鍵懸部を引掛けて、その繁設具先端のネジ切部を並設するボルト間に挾み丸座金を嵌設してナットで固設する。
その建柱受角パイプは杭と繁設のため、布（帯）基礎コンクリート打設時に、角パイプ上口より柔練コンクリートを注入し地中に延伸して空洞を作した延伸根張り杭と建柱受角パイプは内外共にコンクリートで固めて荷重と地震に備える。
建柱受角パイプの建柱胞胎部は、その杭繁設の並設ボルト直上に、同じく貫通孔で並設の建柱受止ボルトが固設され、その上に建柱受止鉄板が嵌置しており、その鉄板には通気穴が刻設されて、その鉄板面上と布（帯）基礎コンクリート打設面が水平となり、建柱受角パイプ外壁に固設する土台柱受金具の底面と一致する。
建柱受角パイプの建柱胞胎部は土台嵌設金具の直上壁面中央に建柱位置及び斜傾を調整のための調整ボルト穴が四方壁面に刻設され、その穴縁にはナットが溶接して固設し、ボルトを用いて調整し、建柱設置後は堅く締めて建柱固設に働く。
その調整ボルト刻設穴上方には、貫通孔で刻設する建柱固定ボルト穴と、単穴の楔鉄板打設口が同じく四方壁面中央に、前後面と左右面を交互に設けており、建柱胞胎部の長短により刻設穴の増減ができ、建柱挿設口の裕部にも楔鉄板を打設する。
布基礎、ベタ基礎、杭基礎のいずれにも組設可能な基台型基礎に固設して建家の建柱を胞胎して耐荷重と耐震に有効な建柱受角パイプ。
【請求項２】
耐荷重、耐震力を高める方途に建柱受角パイプの建柱胞胎部を伸長し、埋設部を深進させ、その分、フーチング基礎部も深厚盤造りとなり、その基盤とする捨コンクリート部も厚みを設けてベース鉄筋を組設した構造となる。
建柱受角パイプ埋設分及び捨コンクリート厚設分を考慮して根切り（布堀り）し、又、建柱受角パイプを基底部で受ける基底盤（Ｃチャン、リップ溝形鋼）は、その建柱受角パイプとの接合部で井桁構造となり、それは基底部に於いて、建柱受角パイプが受ける荷重を基底盤を介して地盤に伝えるため、角パイプと基底盤に筋交いを取り、その筋交いの分井桁を組み延設して拡幅する。
その井桁分、建柱受角パイプ設置部は、拾コンクリート部及びフーチング基礎も拡幅することで根切り（布堀り）及び割栗石事業又は砕石事業も拡幅する。
その事業後に杭打ち込箇所を求めて、打ち込み箇所の割栗石、砕石を取省いて、手打ち杭である延伸根張り杭を打ち、その頭頂部に∩型吊金具を繋設して建柱受角パイプの設置を待つ。
捨コンクリート上に台コロを用いて敷設する基底盤の井桁部は、その交差部の一方の盤の交差部中央に杭嵌設穴が刻設れ、その両リップ（リブ）部を交差巾分切除して、その切除巾部にアングルが腰掛状に溶接して固定され、そのアングルの外伸分には交差するもう一方の基底盤の切断部が溶接され、その反対側のアングルの外伸分にはボルト穴が刻設されてボルトを用いて繋設する。
そのアングル山形の立上がり部には建柱受角パイプを嵌設してボルト繋設のための穴が双方に刻設されており、建柱受角パイプを嵌設しボルト、ナットを用いて固設する。
その不安定に建ち上がる建柱受角パイプに、その上部に組設する簡易梯子型ステージである匚型鉄加工材又はＣチャンネルを組設し、ボルトを嵌設してナット締めにして置き、その基底盤と建柱受角パイプ中腹部の簡易梯子型ステージ直下間に筋交い金具を刻設するボルト穴にボルトを嵌めナット締めにして置き、基底盤に刻設の筋交い金具ボルト穴に下穴を合わせてナット締めで固設し、丁張り（レベル出し、遣り方）に水糸で求めた建柱受角パイプの芯心をそれぞれ確認した上で各ボルトに嵌設したナットを堅く締めて固設する。
捨コンクリート上にサイコロを用いて組設する主筋の嵌設穴が基底盤に刻設されて、配筋して建ち上がる主筋に配力筋を配筋し、又、各井桁部筋交い直近には土台柱固定のためのアンカーボルト設置穴が刻設され、土台柱嵌設金具上迄伸びるボルトを嵌設して基底盤上下でナット締めで固設し、フーチング基礎鉄筋の配筋組設をする。
その厚盤構造のフーチング部のコンクリート打設をする前に建柱受角パイプ内の杭との繋設に繋設Ｊ鉄筋又はアンカーボルトの鍵懸部から角パイプ内に挿入し、杭頭頂に杭管に固設された∩型吊金具が上向きで建ち上がり、その鍵掛部に引掛けて持ち上げておき、もう一方の手でボルトを貫通孔で並設のボルトの間に繋設軸を挾んでおき、丸座金を嵌めナット締めで固設し、フーチング基礎のコンクリート打設をする。
建柱受角パイプと杭の繋設に柔練コンクリートを用意し、できれば上戸とホースを用いて、角パイプ挿入口より柔練コンクリートを注入し、杭の用法を利解した上で少々時間をかけて注入し、丸座金迄が注入域であり、その直上には建柱受止ボルト穴や床下通気口があり注意を要する。
そのフーチング基礎部コンクリート打設上部の簡易梯子型基台の配力筋の配金及び筋交いの設置、懸架筋の配筋組設、建柱受角パイプの建柱胞胎部の構成は［請求項１］に同じくし、布（帯）基礎部のコンクリート打設をする。
より耐荷重、耐震力を求めた建柱受角パイプ長尺型である基台型基礎の基盤基礎型。
【請求項３】
狹少の敷地や隣地間に裕の少ない敷地、又、何らかの事情で基礎コンクリートの縮巾を余儀なくした建築に対する基台型基礎の構成は、構造上骨格縮巾となり、建柱を胞胎する建柱受角パイプに付帯固設する金具や部材の削除や代替を、基台型基礎の有効性を損わない応力と構築の利便性を考慮すれば、先ず建柱受角パイプの布（帯）基礎部に固設する鉄筋嵌設金具を削除して、角パイプの同位置Ｌ型配力筋を及び同位置内側に配力筋を、角パイプに直付で溶接して固設し、その内外の配力筋に対する主筋との間の懸架配力筋を維持し、筋交いの上部嵌設は角パイプにボルト穴を刻設して代替して強度維持は可能である。
その鉄筋嵌設金具の削除による基礎コンクリート厚巾基礎の安定が削がれる分、その角パイプに溶接し固設した配力筋の対角の配力筋に対し、角パイプの内角を背にする懸架筋を全段に配筋して結束し、その応力不足に備える。
その基礎コンクリート縮巾の構造は、当然建柱受角パイプの長尺型である基台座基盤基礎型にも及ぶことになり、その長尺型に於いては建柱受角パイプを基底で受ける基底盤が、その角パイプへの荷重を地盤に伝えるために拡幅した井桁部の張り出し部及び筋交いの張り出し部の削除を要し、そのフーチング部基盤組設部からの削除は大きく応力の低下となるため、その対応として、布（帯）基礎部同様に、直付け配力筋を角パイプの深伸部全てにピッチを設けて配筋し、内側部にも同様に配筋し溶接して固設する。
更に、その角パイプに固設した配力筋の対角の配力筋に掛けて角パイプの内角を背にした懸架筋を配筋し、全段の配力筋に配筋して結束し、その応力不足に備える。
更に基礎コンクリート部の縮巾は、建柱受角パイプの鉄壁面のコンクリートの支持が希溥になり基礎基盤の軟弱に対応して、建柱受角パイプの土台柱嵌設金具固設部直下の床下側角部に、大型の輪金具である筋交い金具受が固設されワンフロアー毎に対角に床下水平筋交い、又は中央に単独基礎を打ちその基礎に四本のアンカーボルトを埋設して、四角隅に建つ建柱受角パイプ輪金具の間で筋交いを取り、荷重と地震に備える。
この縮巾対応型の基台型基礎は狹少巾地に於ける作業現場の溶接作業等は困難であり、工場に於ける製作運般も困難を極めるため、ユニット化して省力化し現場での組設を易くするには、建柱受角パイプを主軸に据え、他の金具や部品を部材と考えて、その主軸に対する鉄筋及びステージ材、基底盤に至る迄最少限の長さで角パイプに嵌設、固設し、その部材装備した建柱受角パイプの隣接する角パイプ間には相違があり、その相違する部材を別途繋設部材として用いることで、簡略化を計り、省力化し、高率化して経費を削減し安価に提供するに至る基台型基礎の縮巾型のユニット化。
【発明の詳細な説明】
【技術分野】
【０００１】本発明は建造物を建築する際の基礎に関する。
【背景技術】
【０００２】近年、建家の基礎と建柱（土台柱を含む）を繋設するに（鉄骨は省く）金物繋設具が耐震用として開発され、アンカーボルトのみならず、アンカーボルトと共設する引き寄せ金具や、ホールダウン金物、更にはホールダウン位置調整金物など便利でしかも強力な繋設金物や補助具が開発されている。
【先行技術文献】
【特許文献】
【０００３】
【特許文献１】特開２０１２−４６８９７公報、
【特許文献２】特開昭６０−６２３３５公報、
【特許文献３】特開平１０−１１５０１４、公報、
【特許文献４】特開平１１−１８１７６６公報、
【発明が解決しようとする課題】
【０００４】近年頻繁に起こる様々な災害による被害は人命を含めて甚大である。
家屋が被災して倒壊し、又は流失した事実を目の当たりにし、それらは建家が基礎を離れた訳で、その跡形にはコンクリート基礎が整然と並んでいた。
約１０年に１度と言われる大震災の地震そのものが主導する建家の決まりごとは、木造や軽量鉄骨造り建家の建柱と基礎を繋ぐ繋設金具は、基礎コンクリート部の建柱直近下に、アンカーボルトを基礎部に埋設し、又、その建柱下辺部に建柱貫通孔で座金を用いて、貫通ボルトを２〜４ヶ所を引き寄せ金具（嵌設板金具）を通して繋設し、直下のアンカーボルトと繋設する仕組みで、更に高度にホールダウン金物やそれを位置調整する位置調整金物等がある。
それらは建柱が土台柱の上に建ち上がり、その土台柱は基礎との間に基礎パッキンを用いて基礎部に埋設するアンカーボルトにより固設される。
それら横設された土台柱は幾重にもアンカーボルトによって組設されていた。
近年頻繁に起こる大災害によって流失した夥しい数の家屋の現場に残された基礎を見るに、或る所は土台柱を残し、又或る所はアンカーボルトのみで土台柱を止めるナットもなくなっていた、その場合の建柱と基礎の繋設は、地震や大風等による家屋の倒壊を防止するに限られた耐震度であったと考えられるが、大震災は約１０年間隔で起こる（政府見解）に呼応できる家屋を構築するには、複合被災を考慮すれば今少しの強度を要する。
【課題を解決するための手段】
【０００５】本発明の基台型基礎の簡易梯子型基台（ステージ）（１−Ａ−６）は建家に於ける建柱と、その柱却と基礎とを繋設する金具（本文の場合、建柱受角パイプ（１−Ａ−３）と、その基礎、及び杭とは一体のものと捉える考え方で、基礎の如何（布基礎、ベタ基礎、杭基礎）にかかわらず、地質調査後の地業の段階で割栗石や砕石が手打ち杭打ちに難儀する多量である場合、又、地盤が軟弱すぎて支持地盤が遠いため、当基台型基礎用の延伸根張り杭（１−Ａ−１４）（１ｍ＝約１．７ｍ伸、１．５ｍ＝約２．６ｍ伸）では届かない場合の杭と建柱受角パイプとの繋設には別途加工を要する。
地業後の捨コンクリート打設時に杭打ち込み箇所の割栗石や砕石を省き、丁張りに糸引きで大まかな杭打ち位置を求め、杭打ち込み分の木枠（フーチング基盤基礎木枠高）を設け捨コンクリートの打設をする。
それはこの延伸根張り杭が手打ちの訳は、その杭中に延伸装置（４−Ａ−４）を内蔵しており、その杭中を殴打することによって外杭（１−Ａ−１２）先端に加工装着されたスクリュー座金（１−Ａ−１５）が軸棒（１−Ａ−１３）に押し出される構成であり、構造上厚割栗石や厚砕石中に打ち込み埋設するには事故のもとになる。
【０００６】その捨コンクリート打設上の墨出し線引き時に、杭の打設点を割り出し手打ちによる杭打ちをする。
その外（親）杭頭頂口をフーチング基盤基礎コンクリート打設面とフラット（面一）になる迄の打ち込むに留めて、次にその外（親）杭の打ち込みキャップ（３−Ａ−１９）を外し、その外杭の中に少々緩目に入る程度の鉄パイプ、又は鉄棒でその外杭の長さの３分の２位の物を外杭口より挿入し、杭中に挿着して、その杭口に軸頭部の殴打部を据える延伸装置は、軸頭殴打部を殴打することで、その外杭先端部に加工された四葉型空窓（３−Ａ−１）の芯穴を貫通して先端に突出したスクリュー座金（１−Ａ−１５）が、その最先端部に押さえを兼ねた袋ナット（１−Ａ−１５）を用いて固設し、そのスクリュー座金が絞り加工で空窓の四葉口の蓋となって嵌設する、外杭四葉加工の絞り溝部に細ビスを用いて軸芯であるその延伸ネジ切軸棒（１−Ａ−１３）の仮止め部を、その打ち込む衝激によって断ち切られて延進し、同時にその延伸ネジ切軸棒の上部軸頭部で、その延伸軸棒にワイヤーロープで結束された、根張り枝杭（１−Ａ−１４）が復数その頭頂部にワイヤーロープ穴を刻設して延伸棒の周りに結束された儘で、その先端部は外杭壁面に設けた枝杭穴の穴縁に細ビスで仮止した根張り杭もその衝激で飛び出し、外壁土に突き進んで三方、四方に根を張る如くに拡幅した杭となり、又殴打によって延伸したネジ切軸棒の先端部に固設するスクリュー座金によるその軸芯周辺に現出する空洞部には、やがて、この杭と建柱受角パイプとの繋設時に、固設するための柔練コンクリートを流入した際に、絞り加工で設けた四葉空窓より柔練コンクリートが流出し、スクリュー座金軸道空間に流れ込むことにより、その壁土に浸透し、コンクリートの塊を造ること
2016084690.tif 000003
【０００７】その延伸根張り杭の外杭の頭頂部至近杭壁には、この杭と建柱受角パイプ（１−Ａ−３）との繋設のための∩型吊金具（２−Ａ−１２）を設置するためのボルト穴が貫通孔で刻設され、そのボルト穴（３−Ａ−２０）に∩型吊金具を外杭内に差し込んだ形態でボルトを外杭共々嵌設しナット締めで固設し、その∩型吊金具の吊部は上向きに立てて置き、繋設Ｊ鉄筋（３−Ａ−９）又はアンカーボルト（３−Ａ−１２）を繋設する建柱受角パイプの上部口より差し込んで引懸ける時に掛け易くしておく。
【０００８】フーチング基盤の木枠を工作して、鉄筋の組設時に主筋となるＬ形鉄筋の内外巾を建柱受角パイプ巾迄拡げて配筋し、その主筋の建ち上がりは、帯基礎上面５ｃｍ位迄伸ばし、後々の補強筋との組設に備え、副筋は増量して、建柱受角パイプ設置外側にもよく配筋し、建柱受角パイプ設置箇所の木枠を設けて、その木枠外側の角隅部にはＬ型補強筋を組設し角隅部を補強する。
【０００９】フーチング基盤基礎コンクリートの打設後、建柱受角パイプ設置箇所の木枠を外し、杭状態を確認した上で、それぞれの嵌設穴に建柱受角パイプを各用途箇所に設置し、繋設Ｊ鉄筋又は、アンカーボルトを用いて杭と建柱受角パイプを角パイプの内部で、その繋設金具のネジ切り先端部に丸座金（２−Ａ−１４）を嵌め、その上をナット（３−Ａ−２）で軽く押さえて、その角パイプ内に鍵部から挿入し、杭頭頂部の∩形吊金具に引懸けて、持ち上げ気味に引き上げ乍ら、一方の片手で貫通ボルト（３−Ａ−４）を角パイプ貫通穴に、もう一方の手で持ち上げている丸座金の下を通して嵌め、もう一本の貫通ボルトは、その繋設具の軸を挾んで同じく貫通孔に差し込み、先ず丸座金上のナットを吊張る位迄（外れない程度の意）締め、次に貫通ボルトにナットを嵌め堅く締めて固設し、杭箇所はそこ迄で留めておき、基台座ステージ（２−Ａ−２）との繋設をする。
【００１０】その匚型鉄加工材（Ｃチャンでも可）の基台座ステージは、角パイプを内外共に挾み込んで角パイプ嵌設部に刻設するネジ切りボルト穴にボルトを合わせて、外側ステージを先ず固定し、そのステージの内側角パイプ合わせ部は、交互に右上、左下の半々に切り込みを設けて交差部を組み込んで角パイプに双方共ボルト締めで固設する構成で、その全体に歪や水平、角パイプの浮きや斜傾等の点倹、確認をした上で、杭繋設部の丸座金上のナットを堅く締めてから、柔練コンクリートを用意し、できればその注入のための上戸やホース等深奥部に注入し易い形態で柔練コンクリートの注入をし、その杭の持つ特長を良く理解した上で、コンクリートの練り具合、到達する時間や量を勘案して、その角パイプ内で繋設した丸座金とナット部迄が繋設コンクリートの注入域で、その直上には建柱受貫通孔ボルト穴（２−Ｂ−２３）が刻設されており、嵌設不可とならないよう注意を要する。
【００１１】その建柱受角パイプの外壁四面に溶接で固設した鉄筋嵌設金具（１−Ａ−４）の、それら建柱受角パイプ同志の向い合いで面する壁面に固設の嵌設金具の最上段の鉄筋嵌設穴と、匚型鉄加工材（Ｃチャンでも可）を用いて、建柱受角パイプを挾んで並設する、簡易梯子型ステージ内側壁面部の左右両内面に、その鉄筋嵌設金具と正三角形状と成る位置に筋交い設置ボルト穴（１−Ａ−１６）を刻設し、筋交い金具（３−Ａ−７）を用いて角パイプの斜傾を調整し乍ら全ての角パイプの鉄筋嵌設金具設置面に筋交いを取る。
【００１２】その角パイプ四壁に固設する鉄筋嵌設金具に鉄筋を配筋組設し、そのフーチング基盤上の基台座（ステージ）内外間に突出する主筋と基台座（ステージ）との繋設のため懸架筋を配筋し、又、角パイプの鉄筋嵌設金具に配筋した配力筋の弛み矯正や、布（帯）基礎強化のためにも配筋し、それら内外の配力筋に架けて繋設し、又、その最上段の懸架筋上にも各角パイプ間に配力筋を配筋組設して、建柱受角パイプ間に固設する土台柱用アンカーボルト（２−Ａ−３）繋設部をナット締めして、その固設するアンカーボルト台（２−Ａ−２３）は建柱受角パイプ直近各１ケに留め、更に要する分は現場の裁量に委ねる。
【００１３】更にその建家に組設する建柱受角パイプのうち、その建家の角隅部にあたる箇所に設置する建柱受角パイプの外側二面のコンクリート基礎部は、角パイプの鉄壁による遮断で軟弱になるため、その補強のために、その外側二面に固設する鉄筋嵌設金具の嵌設穴は、外側上方向きに切り通して開放されており、その角隅部の鉄筋嵌設穴には、建柱受角パイプ同志間の配力筋の他に、その角パイプの鉄壁によるコンクリート遮断軟弱部を補強するためのＬ型鉄筋を配筋し、その角隅部に二重の配筋で補強筋を組設する。
【００１４】布（帯）基礎コンクリート打設前に建柱受角パイプの中に於いて、杭繋設丸座金部直上に刻設した貫通孔で並設の建柱受止ボルト（２−Ａ−１９）を嵌設し、ワッシャー、ナットによる固設をし、その上に建柱受鉄板（２−Ｂ−２６）を嵌設して置き、その鉄板には通気穴が刻設してある。
布（帯）基礎コンクリート打設時の建柱受止位置とコンクリート打設面との水平の確認は、土台建柱金具（２−Ｂ−２２）下に刻設する床下通気穴（１−Ｂ−３）で、土台柱用パッキン材（通気）を勘案した目視による計測か、又は、メジャー（コンベックス）か曲尺（指金）に
2016084690.tif 000004
て調整し、建柱挿設後は先ず建柱受角パイプ挿入口に楔鉄板（３−Ａ−１３）を打ち込む。
【００１５】本発明の基台型基礎の簡易梯子型基台基礎を越える耐荷重、耐震力を持つ構造は、原則、建柱受角パイプを深く地中に埋設させ、建柱胞胎嵌設部を基礎上に長く伸ばすことであり、その建柱受角パイプを基礎（フーチング部）内で組設する基台座を地中に構築するにあたり、その基底部に基台座の基盤であり、建柱受角パイプの受皿でもある基底盤（２−Ｂ−９）を、その建柱受角パイプを嵌設可能なＣチャン（リップ溝形鋼）を用いて、建家の基礎基底部（厚打捨コン上）に延設するその基底盤の構築は、地質調査後測量して丁張り枠（遣り方）を張り、地業の形状を求めて根切り（布堀り）の杭を設け機械（ユンボ）を入れて根切り（布堀り）する際に、その基盤ステージであるＣチャン（リップ溝形鋼）（２−Ｂ−９）と建柱受角パイプを受ける結合部四辺には筋交い（３−Ａ−７）を設ける分、基盤ステージが建家基礎の角隅部で井桁状に拡幅することで、その根切り（布堀り）及び後の事業も、又捨コンクリートの枠取りも同様に拡幅した構築とし、その割栗、砕石事業に砂利を敷設して目潰しをして転圧（ランマー掛け）をしてから丁張りに水糸を用いて杭打ち箇所を大まかに求めて、その箇所を杭打ち可能な迄に割栗石や砕石を取り省き、手打ち杭の打ち込み易い状況を創り、鉄筋入で厚コンクリート造りの型枠と同時に、その杭打ち箇所の木枠も設けて、鉄筋（ベース筋）を組設して、厚捨コンクリートの打設をする。
【００１６】杭打ち箇所に枠取りし捨コンクリートの打設によって杭打ち箇所が墨付けで決まり、その打ち込む杭である延伸根張り杭（２−Ｂ−６）については、本文中［０００６］又、［０００７］で詳述したように、比の場合は捨コンクリート面上とフラット（面一）に打ち込むに留めて、杭頭頂部に∩型吊金具（２−Ｂ−８）を嵌設しその吊部を上向きに固定して置き、その捨コンクリート打設面上には、台コロ（３−Ａ−１７）を用いて基台座の基底盤を墨打ちに沿って組設し、又主力鉄筋及び配力筋を配筋しサイコロ（３−Ａ−１６）を用いて、基底盤に刻設した主筋穴（４−Ａ−３）に絡めて組設し、その延設する基底盤の建柱受角パイプ設置部の井桁組の構成は、杭穴（４−Ａ−７）を刻設した主盤に対し、対角に敷設する盤の交差する部分を削除して井桁に伸びる袖分に用いて、その接合する交差部両リップ（リブ）部を削除した主盤には、アングル（等辺山形鋼）が建柱受角パイプ幅分の嵌設部を残して、その両山形平面部には、各２個づつの繋設ボルト穴（３−Ａ−１８）を刻設して、山形を外向きに溶接され固設しており、そのアングル部に削除した対角基底盤の切除盤にボルト嵌設穴（４−Ａ−５）を基底盤繋設用と筋交い（４−Ａ−３）繋設用を左右両端部に設け、同様に切除された対角盤にも設けて、ボルトを嵌設してナット締めで固設して、その基底盤は延設している。
その井桁交差部下にもＬ型配力筋を交差部角々に配筋して筋交い部荷重に備える。
【００１７】この基台座基盤基礎は建柱受角パイプを地中に延伸させて耐荷重、耐震度を高める、その建柱受角パイプを支持する基礎の構築は、先ず敷設した基底盤の建柱受角パイプ設置アングルにボルトを嵌設してナット締めで固設し、その建柱受角パイプの中腹部フーチング基盤基礎コンクリート打設面の直下に、四面に亘ってボルト穴を刻設して、その箇所にボルトを嵌設してナットを外面に嵌めた筋交い金具嵌設金具ボルトセット（３−Ａ−１５）が嵌設してあり、そのナットを外して筋交い金具を嵌設し、床面は基底盤に刻設したボルト穴に床下よりボルトを嵌め上面よりナット締めで固設する。
更に延設する基底盤上に林立する建柱受角パイプの低辺設置部に∩型吊金具を上向きにして繋設を待つ杭頭頂部に向けて、繋設Ｊ鉄筋又はアンカーボルトの懸設鍵部から角パイプ内に挿入し、その尻尾のネジ切り部には丸座金（３−Ａ−１０）を嵌めナットで軽く押さえ止めして、角パイプ内の∩型吊金具にその先端懸鍵部を引掛け、吊り上げ気味に持ち上げておき、一方の片手で繋設ボルトを杭繋設ボルト穴にボルトを差し込み、角パイプの中で引き吊り乍ら持つ、丸座金の下を通して貫通孔の穴にボルトを差し込み、更にもう一本を同じ要領で、懸設軸棒の返対側を通して貫通孔の穴に差し込み、先ず角パイプの中の丸座金上のナットを締め、それから貫通ボルトにナットを嵌めて締め、一度角パイプ斜傾等確認した後に堅く締めて固設する。
【００１８】この建柱受角パイプの長尺型は、フーチング基盤基礎の深伸分、その角パイプも長尺と成りそのフーチング部をコンクリートで固形するには、鉄骨本体の固形化が必要で、その骨組みとしての布（帯）基礎基台である匚型鉄加工材（Ｃチャンでも可）による建柱受角パイプ間の繋設を、基底盤と角柱間に固設した筋交いの建柱受角パイプにボルト止めした筋交い金具の頭頂がフーチング部のコンクリート打設上面となり、その直上に刻設するボルト穴に基台型基礎の簡易梯子型基台のステージである匚型加工材（Ｃチャンでも可）を、その建柱受角パイプ内外に嵌設して、装着してあるボルトセットのナットを外して嵌め込みナット締めで固設する。この基台ステージより上体の布（帯）基礎部の組設は簡易梯子型基台と同様となる。
【００１９】長尺の建柱受角パイプの梁骨でもある布（帯）基礎の基台ステージの組設によって骨格が固まり、その匚型鉄加工ステージには、そのリップ（リブ）部に鉄筋嵌設穴が基底盤の主筋嵌設穴に合わせて刻設してあり、深伸するフーチング基盤基礎の鉄筋組設に多様性を持たせ、耐重力、耐震力に対応し、基底盤が出張る井桁部の鉄筋組設もその副筋によって組設が容易になり、主筋との懸架筋も多量に配筋が可能になり、建家次第の配筋でフーチング部の鉄筋の組設をし木枠組みをしてコンクリートを打設する。
【００２０】匚型鉄加工材（Ｃチャンでも可）下面迄打ち込まれたフーチング基礎部のコンクリート上には、そのステージ及びそのステージ内外間に突出する主筋及び建柱受角パイプが鉄筋嵌設金具を壁面に固設し、その直上には土台柱嵌設金具を固設し、更に土台柱固定のためのアンカーボルトも建ち上がり、布（帯）基礎組設は鉄筋の配筋繋設と筋交いの設置となる。
その布（帯）基礎組設の前に、建柱受角パイプ内の杭繋設部のコンクリートを打設し、延伸根張り杭の延伸装置でスクリューナットが形成した空洞部が土圧によって圧縮され、コンクリートの流入を困難にし、その目的を損い、杭の有効性を損うことになるためフーチング基礎コンクリート打設と同時でも良い。
先ず柔練コンクリートを用意し、できれば深奥部に注入し易くするための上戸やゴムホースを用いて、角パプ内に装着した丸座金の周りの空洞部から注入し、適量を勘案してゆっくり時間を掛けて土壁に浸透することを考慮して注入し、その注入域は丸座金迄とし、その丸座金直上には建柱受止ボルト穴が刻設されており、穴詰まりやボルト嵌設不能とならないよう注意が必要である。
【００２１】その建柱受角パイプの外壁四面に溶接で固設した鉄筋嵌設金具（２−Ｂ−２０）の、それら建柱受角パイプ同志の向い合いで面する壁面に固設の嵌設金具の最上段の鉄筋嵌設穴と、匚型鉄加工材（Ｃチャンでも可）を用いて、建柱受角パイプを挾んで並設する、簡易梯子型ステージ内側壁面部の左右両内面に、その鉄筋嵌設金具と正三角形状と成る位置に筋交い固定具ボルト穴（３−Ａ−１５）を刻設し、筋交い金具（３−Ａ−７）を用いて角パイプの斜傾を調整し乍ら全ての角パイプの鉄筋嵌設金具設置面に筋交いを取る。
【００２２】その角パイプ四壁に固設する鉄筋嵌設金具に鉄筋を配筋組設し、そのフーチング基盤上の基台座（ステージ）内外間に突出する主筋と基台座（ステージ）との繋設のため懸架筋を配筋し、又、角パイプの鉄筋嵌設金具に配筋した配力筋の弛み矯正や、布（帯）基礎強化のためにも配筋し、それら内外の配力筋に架けて繋設し、又、その最上段の懸架筋上にも各角パイプ間に配力筋を配筋組設して、建柱受角パイプ間に固設する土台柱用アンカーボルト（３−Ａ−１２）繋設部をナット締めして、その固設するアンカーボルト台（３−Ａ−１４）は建柱受角パイプ直近各１ケに留め、更に要する分は現場の裁量に委ねる。
【００２３】更にその建家に組設する建柱受角パイプのうち、その建家の角隅部にあたる箇所に設置する建柱受角パイプの外側二面のコンクリート基礎部は、角パイプの鉄壁による遮断で軟弱になるため、その補強のために、その外側二面に固設する鉄筋嵌設金具の嵌設穴は、外側上方向きに切り通して開放されており、その角隅部の鉄筋嵌設穴には、建柱受角パイプ同志間の配力筋の他に、その角パイプの鉄壁によるコンクリート遮断軟弱部を補強するためのＬ型鉄筋を配筋し、その角隅部に二重の配筋で補強筋を組設する。
【００２４】布（帯）基礎コンクリート打設前に建柱受角パイプの中に於いて、杭繋設丸座金部直上に刻設した貫通孔で並設の建柱受止ボルト（２−Ｂ−２１）を嵌設し、ワッシャー、ナットによる固設をし、その上に建柱受鉄板（２−Ｂ−２６）を嵌設して置き、その鉄板には通気穴が刻設してある。
布（帯）基礎コンクリート打設時の建柱受止位置とコンクリート打設面との水平の確認は、土台柱受金具（２−Ｂ−２２）下に刻設する床下通気穴（１−Ｂ−３）で、土台柱用パッキン材（通気）を勘案した目視による計測か、又は、メジャー（コンベックス）か曲尺（指金）に
2016084690.tif 000005
て調整し、建柱挿設後は先ず建柱受角パイプ挿入口に楔鉄板（３−Ａ−１３）を打ち込む。
【００２５】狹少の敷地や隣地に対する裕の少ない敷地形態での建築、又何等かの理由で基礎巾の縮巾を余儀なくした場合の構築に際し、本発明の基台型基礎の基礎構成では対応が困難である建築に対する、コンクリート基礎巾の縮巾に応える基台型基礎の構築は、本来（前述）の基台型基礎の有効性を損わない範囲で金具の削除や付け替え、又新たな方法を加わえてコンクリート縮巾基礎の基台型基礎とした。
【００２６】建柱受角パイプの本来（前述）の鉄筋と角パイプの繋設は、その角パイプ四壁外面に固設する鉄筋嵌設金具（２−Ｂ−２０）を介していたが、その配力筋を直接角パイプに溶接して、その金具であるＣチャン金具の厚巾の約６０％を削減し、同じく簡易梯子型基台（ステージ）である匚型鉄加工材（Ｃチャンでも可）をアングル（等辺山形鋼）に替えることで、布（帯）基礎部の鉄骨材分巾厚は４ｃｍ強（外側片厚）縮巾して抑えることで耐震抑止力に徴減は生じるが、その分筋交い金具の強化と建柱受角パイプへの直接溶接の配力筋に対角に懸架筋を全般に配筋して補足する。
【００２７】布（帯）基礎鉄骨部の縮巾は同様にフーチング基盤基礎の縮巾も要請されることで、そのフーチング部に深進して組設する基台座基盤基礎の建柱受角パイプを基盤で受ける基底盤の角パイプ設置部は、その基底盤と角パイプ間に筋交いを設置のため基底盤を井桁に形成し、その交差部にアングルによる繋設金具を設けて基底盤の繋設をも兼ねた角パイプを固定し、その角パイプ四壁から、その基底盤への筋交いを張りボルトを用いてナット締めで固設した本来（前述）の基台型基礎の基台座基盤基礎の構成を、基礎コンクリートの縮巾に対応して、その建柱受角パイプの建家基礎外壁面に設置する分の、筋交い及び基底盤井桁部の交差部伸分も削除し、又その削除する基底盤上に設置する筋交いも削除して、布（帯）基礎部壁面に合わせて縮巾し、その削減した構成による耐荷重、耐震度に対する応力不足は補足する。
【００２８】この狹少敷地や隣地間の裕の少ない立地での建築に対応する基台型基礎の基礎骨格縮巾型は、本来（前述）の基台型基礎の構成を縮減してスリム化し、故に本来（前述）の基台型基礎の応力を削で、金具の削除や、基台座基盤基礎部に於ける筋交いの削減及び井桁出張り部の削除という減力に対し、先ず建柱受角パイプの深伸部分であるフーチング基礎構築部分に、布（帯）基礎部角パイプと同様Ｌ型配力筋を直接その角部に溶接してピッチを設けて数段配筋し、その内角部にも同位置に配筋し溶接して固設する。
更にその建柱角パイプ同志直付け配力筋が内外に渡るその建家の角隅部及び角パイプを挾んで配力筋を二方、三方、四方に延設する全ての角パイプの内角部を背にし、対角に伸びる配力筋の内外に跨設しての懸架筋を配筋し、その配力筋各段の全てに配筋して結束する。
【００２９】更にこの狹少敷地や隣地間の裕の少ない立地での建築に対応するため、この本来（前述）の基台型基礎の鉄骨格を削減し、基礎コンクリートの縮巾での基礎に於ける基台型基礎の建柱受角パイプの縮巾コンクリートに対する、角隅部の鉄壁面のコンクリート遮断軟弱部に対する補強のため、各建柱受角パイプのブロック（この場合小区画で四隅角パイプを言う）毎に対角の角パイプ同志の繋設、又はその角パイプブロックの中央にフーチング基礎コンクリート打設時に独立基礎を設けて、アンカーボルト四隅分を埋設しての床下水平筋交い又は、床下単独筋交いを設置して補足する。
【００３０】この狹少敷地や隣地間に裕の少ない立地での建築に対応するための基台型基礎は、現場に於ける作業が多岐に亘り、少々単品的な部品、部材の組設に、作業環境の狹さから繁雑な作業は困難を極める。又、増してや溶接等の職方の派遣や機材の般入や巾狹地での溶接作業等はいたずらに作業の遅延を招く。
又、工場に於いても作業の一貫性を欠き、多岐に亘る倹品、梱包等で多数の人員を要する等で不経済となる。
それ等の諸問題を解消し、基台型基礎の有効性を高めるためにもユニット化をするべきで、その方途として、基台型基礎を用いる建家の基礎部を、建柱受角パイプを中心に考えてブロック化し、その建柱受角パイプに繋設、固設する全てを部材と考え、その主材である建柱受角パイプに繋設、固設する部材のユニットに必要な部材の固設距離を繋設分を含めて決め、その隣接するユニット間を繋設する繋設部材は、その隣接する距離によって相違していて、それ等は、ユニット側に刻設したボルト穴と繋設部材に刻設するボルト穴間に、繋設鉄板を用いて繋設する部所と、その刻設したボルト穴同志を重ね合わせて繋設する仕方と双方を用いて、その隣接する巾狹余地での作業を極力省き、建築地内での組設を可能にしたユニット化により、工場及び現場それぞれの省力化を計り高率化を計ることで、より安価に提供できる。
【００３１】その基台縮巾型ユニットは、各部材の設置穴を刻設した建柱受角パイプに土台柱受金具やＬ型配力筋を、そのユニット間に繋設する繋設配力筋との繋設分を伸ばして直付けで溶接し、又内側配力筋も合わせて溶接し固定する。
その直下に簡易型基台である匚型鉄加工材（Ｃチャンでも可）ステージも最少限に短縮し、繋設ボルト穴を刻設して所定の位置に溶接して固設する。
隣接する、その縮巾型ユニットを繋ぐ、その対面側の角パイプ壁面の配力筋溶接直上にボルト穴を刻設し筋交い金具固定具を左右両脇に設置し、筋交い金具を用いて、左右ステージ側面に刻設のボルト穴に筋交い金具を嵌設して、ボルト、ナットを用いて固設し、此の基台縮巾型ユニットの設置時に於ける、隣接する基礎の角隅部の縮巾コンクリートの角パイプ鉄壁軟弱に対応して、角パイプ角部に配筋し、内側にも配筋し直付けで溶接した配力筋に、角パイプの角部を背に対角する配力筋に懸架し、跨設して対応する。
更に、その筋交いより角パイプ寄り直近には、土台柱用アンカーボルトの固定台が溶設固定され、その中央には嵌設穴が刻設されている。
この段階で錆止め着色塗装を設こす。
完成した建柱受角パイプユニットの簡易梯子型式縮巾型は、その建柱受角パイプの建柱胞胎部の建柱受止ボルトを、その貫通孔で刻設のボルト穴に嵌設し、その直下に同じく貫通孔で並設に刻設の杭繋設ボルトもボルトを嵌設し、そのボルト上には、杭と繋設するための繋設Ｊ鉄筋又はアンカーボルトに丸座金を嵌め、その先端ネジ切部にナットを深く嵌めて押さえて角パイプ内に挿入して杭繋設ボルト上に嵌設して、落下防止を設し、更に建柱胞胎部の建柱受止鉄板を嵌め置きして落下防止を設し、その受止鉄板と平行に外壁に固設する土台柱受金具の直上に刻設する建柱斜傾調整ボルト穴にもボルトを嵌設し、その上辺の建柱固定ボルト穴は交互に貫通孔で刻設するボルト穴にもボルトを嵌設し、その固定ボルト穴と交互に刻設する楔鉄板打設口は楔を挿着せずに、入れ箱で角パイプ挿入口に入れ、書類共々落下防止を設して密封する。
同時に延設根張り杭一式を添え梱包する。
【００３２】その建柱受角パイプユニットの長尺型である基台座基盤基礎は、上台の梯子型基台と同様に、Ｌ型配力筋を数段にピッチを設けて、その建柱受角パイプの延伸部に直付けで溶接し、上台同様の形態で基台座の基底盤との間に筋交い金具を設置して、簡易基台座アングル固設直下に刻設の筋交い金具ボルト穴に挿設したボルトセットのナットを外して、筋交い金具の上端部ボルト穴を嵌設しナット締めし、その筋交い金具下端部ボルト穴と基底盤に刻設の筋交い金具ボルト穴を合わせて基底盤下よりボルトを差し込み上面でナット締めし、上下左右の釣り合いを取り乍ら徐徐にナットを締め廻し乍ら固設する。
その筋交い金具下端部左右ボルト嵌設部中央より基底盤を突き抜けて、地盤（捨コン部）より立ち上がる主筋の嵌設穴が刻設され、その基底盤の最先端には、繋設基底盤との繋設ボルト穴を刻設し、その繋設ボルト穴と主筋嵌設穴の中間には、土台柱固定のためのアンカーボルト穴が刻設されている。
その他は上台部と同様に繋設し、固設具を嵌設して梱包する。
【発明の効果】
【００３３】基礎コンクリート上で土台柱の上に建ち上げて組設する建柱の造立ではなく、地中の基礎中に埋設、組設して建ち上げる鉄骨角パイプに胞胎して建ち上げる建柱の始めての試みは、挿設する建柱の胞胎部下辺の四壁に、ボルト穴を刻設してその穴縁にナットを溶設して固設し、ボルトを嵌設した調整ボルトによる、建柱の位置付けと斜傾矯正をして、梁組み迄に、建柱挿入口裕部の楔打ち込みをして、建柱胞胎部の建柱上下が固定し、棟上げ迄には貫通孔で刻設の建柱固定ボルトを嵌設してナット締めで固設し、順次四壁面のボルトを固設し、又、楔鉄板を打設し順次四壁面に打ち込み、最後に挿入口の楔鉄板打設回り隙間にコーキングを設して、建柱の設置を終える。
【００３４】此の基台型基礎の建柱受角パイプ真下である基礎下には、手打ちで打ち込まれた延伸根張り杭が埋設しており、建柱受角パイプと繋設金物を用いて繋設され、更にその角パイプと杭との間に柔練コンクリートを用いて、角パイプ内とその繋設金物及び杭内の延伸装置及び、
2016084690.tif 000006
社比）の杭と基礎と建柱受角パイプと建柱は、一体の構築体と捉え、その一体化した構築体を基礎中で組設する基台座が採り込み固設して、基台型基礎を構成する。
本発明の基台型基礎は、簡易梯子型基礎と深型構成の基台座基盤基礎との二構成造りと、その縮巾型で狹小巾敷地や、隣地間に裕の少ない建築に対応してのスリム化し乍ら、本発明の基台型基礎の有効性を維持し、その耐荷重、耐震性に新手法を追設してユニット化して、現場作業困難部分を解消し、簡素化しながら、基礎コンクリート縮巾に対応して、床下水平筋交い、又は単立基礎を設けて建柱受角パイプ鉄壁面による建家基礎角隅部外壁の軟弱に対応以上の耐荷重、耐震度を高める。
【図面の簡単な説明】
【００３５】
【図１】〈１−Ａ図〉基台型基礎の簡易梯子型基礎の組立斜視図  １−Ａ−１．割栗事業に（又は砕石事業）砂利目潰し、転圧で締め固め。  １−Ａ−２．捨コンクリート事業（杭打ち箇所を丁張りに水糸で求め、栗石、砕石を省いて枠を設ける）  １−Ａ−３．建柱受角パイプの設置図（鉄筋嵌設金具を四壁面に固設し、土台柱受金具、筋交いを設置．  １−Ａ−４．鉄筋嵌設金具（鉄筋と鉄骨角パイプとの繋設具、Ｌ型配力筋との重設のため、穴が上向開放）  １−Ａ−５．土台柱受金具（鉄骨角パイプとの繋設金具）  １−Ａ−６．簡易梯子型基台座（ステージ）（建柱受角パイプ、アンカーボルト、杭、筋交い等の母体）  １−Ａ−７．アンカーボルト（土台柱を固設）（基台ステージよりの建ち上がり分）  １−Ａ−８．建柱受角パイプ固設ボルト（基台ステージに固設する四方面のボルト）  １−Ａ−９．主筋（主力筋）（捨コンクリート上より建ち上がる鉄筋で荷重を地盤に伝える）  １−Ａ−１０．懸架筋（配力筋）（基台ステージと主筋の繋設）  １−Ａ−１１．筋交い（建柱受角パイプと基台ステージ間支持金具）  １−Ａ−１２．延伸根張り杭（パイルドラフト基礎として基台座、建柱受角パイプを支持）外杭（パイプ）  １−Ａ−１３．延伸杭軸棒（先端のスクリューナットが空洞を創出）  １−Ａ−１４．延伸根張り（軸棒と同時に壁外に突出して根を張る）  １−Ａ−１５．スクリューナット（延伸根張り杭の先端部）  １−Ａ−１６．筋交い設置ボルト穴  〈１−Ｂ図〉簡易梯子型基礎の布（帯）基礎コンクリート打設斜視図  １−Ｂ−１．布（帯）基礎コンクリート（簡易梯子型基礎の完成斜視図）  １−Ｂ−２．建柱受角パイプの建柱胞胎部．  １−Ｂ−３．床下通気口（角パイプの建柱挿設部下の建家床下に刻設）  １−Ｂ−４．アンカーボルト（土台柱を固設する）  １−Ｂ−５．土台固設金具（土台柱嵌設金具のこと）  〈１−Ｃ図〉建柱受角パイプの角隅部の設置風景図  １−Ｃ−１．アンカーボルト固定金具  １−Ｃ−２．建柱受角パイプ（フーチング基礎上に部材を嵌設した図）  １−Ｃ−３．建柱固定ボルト用貫通孔のボルト穴．  １−Ｃ−４．楔鉄板打込穴（建柱設置時に解離離脱防止のために打ち込む楔穴）  １−Ｃ−５．建柱調整ボルト穴（角パイプ四壁にナットを溶接し固設してある）  １−Ｃ−６．角パイプと基台ステージ間に設けた筋交い金具。  １−Ｃ−７．繋設ステージ（建家に於ける角パイプ間の距離の違いを補足するステージ）  １−Ｃ−８．主筋（主力筋）（建家の荷重を地盤に伝える主要鉄筋）  １−Ｃ−９．繋設鉄板（繋設ステージを繋ぐボルト穴を刻設した鉄板）  １−Ｃ−１０．懸架筋（配力筋）（主筋と繋設して基台ステージと繋設）  １−Ｃ−１１．Ｌ型配力筋（角パイプの角隅部を補強）  １−Ｃ−１２．筋交い固定ボルト（筋交い金具を固定するボルト、ナット締めで固定）  １−Ｃ−１３．配力筋（建柱受角パイプ間を繋設する配力筋）
【図２】〈２−Ａ図〉簡易梯子型基台基礎のステージ、鉄筋、杭の組設図．  ２−Ａ−１．建柱受角パイプの設置図（直下に杭を埋設し、角パイプ内に繋設している）  ２−Ａ−２．簡易梯子型基台ステージ（建柱受角パイプやアンカーボルト、筋交いを繋設）  ２−Ａ−３．アンカーボルト（土台柱を基礎上に固定するボルト）  ２−Ａ−４．配力筋（角パイプ間を繋設し主筋との配筋もする）  ２−Ａ−５．土台柱受金具（土台柱と建柱受角パイプ内設の建柱との組設構築土台柱止）  ２−Ａ−６．筋交い金具（建柱受角パイプと基台座ステージ間で取る筋交い）  ２−Ａ−７．鉄筋嵌設金具（各角パイプ四壁に固設して、対角パイプ間の繋設筋を止める金具）  ２−Ａ−８．主筋（主力筋）（建家の荷重を地盤に伝える重要鉄筋）  ２−Ａ−９．差し筋（配力筋の支筋で懸架筋を配して主筋と繋設）  ２−Ａ−１０．Ｌ型配力筋（建柱受角パイプ設置の基礎角隅部の鉄壁によるコンクリート軟弱補強筋）  ２−Ａ−１１．延伸根張り杭（建柱受角パイプ直下に埋設した杭、柔練コンクリートを打設する）  ２−Ａ−１２．∩型吊金具（杭頭頂に貫通孔でボルト穴を刻設してボルトに挾んでナットで固設）  ２−Ａ−１３．杭繋設Ｊ鉄筋又はアンカーボルト（杭頭頂の∩型吊金具と角パイプ間を繋ぐ）  ２−Ａ−１４．丸座金（杭頭頂の吊金具に引掛けて角パイプの受ボルトに嵌設して止める座金）  ２−Ａ−１５．杭の根張った枝部（杭の中に装着の延伸装置を、外杭打ち後、中打ちをして突出）  ２−Ａ−１６．杭の延伸軸棒（杭の中の延伸装置を、杭の中打ちで伸びる延伸軸棒）  ２−Ａ−１７．杭の延伸軸先端スクリューナット（スクリューナットの笠部が突き進むことで軸周りに空洞）  ２−Ａ−１８．杭繋設ボルト（貫通孔で並設のボルト間に繋設軸を挾んで丸座金を嵌めボルト上でナット締める）  ２−Ａ−１９．建柱受止ボルト（貫通孔で並設で刻設のボルト穴にボルトを嵌設して固定）  ２−Ａ−２０．建柱受角パイプ．  ２−Ａ−２１．簡易梯子型基台ステージ内側（左）嵌設図．  ２−Ａ−２２．簡易梯子型基台ステージ内側（右）嵌設図．  ２−Ａ−２３．アンカーボルト台（左、右設置図）  ２−Ａ−２４．簡易梯子型基台ステージ外側設置図．  ２−Ａ−２５．簡易梯子型基台ステージ内側（左）のボルト固定図．  〈２−Ｂ図〉基台型基礎の基台座基盤長尺型の組設図．  ２−Ｂ−１．ＧＬ  ２−Ｂ−２．根切り（布掘り）（基台座基盤長尺型は深進するパイプの長さ（埋設部）で決まる）  ２−Ｂ−３．割栗事業（砕石事業）（丁張りに水糸で杭位置を知り、手打ち杭のため、その部分石を省く）  ２−Ｂ−４．砂利（バラス）（ランマーによる転圧をかける）  ２−Ｂ−５．捨コンクリート打設（長尺型の基盤は捨コン上面のため、鉄筋組設で厚コンクリート）  ２−Ｂ−６．延伸根張り杭．（杭打ち箇所を割り出し手打ちで打ち込み、杭中の装置も打ち込む）  ２−Ｂ−７．杭の延伸軸棒（杭中の装置を打ち込むことで地下に延進する笠付軸棒）  ２−Ｂ−８．∩型吊金具（杭打設後、杭頭頂部に刻設の貫通孔ボルト穴にボルトに通して設置）  ２−Ｂ−９．基底盤（捨コンクリートを基盤として建ち上がる建柱受角パイプの受盤で建物に沿って敷設）  ２−Ｂ−１０．建柱受角パイプ（基底盤井桁設合部に加工設置したアングルにボルト締めで固設）  ２−Ｂ−１１．底盤筋交い（建柱受角パイプ中腹部と基底盤に刻設のボルトに筋交い金具を設置）  ２−Ｂ−１２．筋交い底盤ボルト止め（基底盤の敷設は台コロを用いていて、ボルト、ナットの嵌設は容易にできる）  ２−Ｂ−１３．筋交い上部止め（梯子型基台ステージ直下に筋交い金具ボルト穴を刻設、四壁面に）  ２−Ｂ−１４．杭繋設固定部（筋交いボルト穴直上に貫通孔で並設のボルト上に丸座金を嵌めナット締めで固設）  ２−Ｂ−１５．杭繋設軸棒（繋設Ｊ鉄筋又はアンカーボルトによる角パイプとの繋設に杭吊具を引掛けて立ち上る）  ２−Ｂ−１６．簡易梯子型基台ステージ（上体部と下体部がこのステージの設置で決まる）  ２−Ｂ−１７．ステージ繋設鉄板（ステージが長尺の場合、分断用繋設鉄板）  ２−Ｂ−１８．布（帯）基礎配力筋（隣接する角パイプ間を繋設する鉄筋）  ２−Ｂ−１９．角パイプステージ間筋交い（角パイプの角隅部の軟弱に補強のため）  ２−Ｂ−２０．鉄筋嵌設金具（建柱受角パイプの四壁面に固設され、主筋との繋設筋を配筋）  ２−Ｂ−２１．建柱受止ボルト（建柱胞胎部の床底部に貫通孔で並設で用いその上に鉄板を用いる）  ２−Ｂ−２２．土台柱受金具（壁面材を基礎上で受ける土台柱を両袖部で固設）  ２−Ｂ−２３．建柱固定ボルト穴（建柱を挿設して、柱組み上がり次第ボルトを嵌設し固定する）  ２−Ｂ−２４．楔鉄板打設口（建柱挿設し柱組み後先ず建柱挿  口裕部（四辺に楔を打つ）  ２−Ｂ−２５．建柱（本発明の場合の建柱は角パイプ使用のものを言い、他は柱とす）
【図３】〈３−Ａ図〉部品図、他  ３−Ａ−１．延伸根張り杭先（四葉空窓（柔練コンクリート注入時に此の空窓より杭外に流出するコンクリートが塊を作る）  ３−Ａ−２．固設ナット（杭との繋設に繋設Ｊ鉄筋又はアンカーボルトに丸座金を嵌め並設ボルト間を通した繋設軸を締める）  ３−Ａ−３．柔練コンクリート注入口（注入口はあくまでも杭中であり、建柱受角パイプ口よりホースと上戸を用いる）  ３−Ａ−４．建柱繋設固定ボルト（建柱受角パイプの建柱胞胎部で使用）（同じく、建柱受止ボルト、土台柱嵌設ボルト）  ３−Ａ−５．建柱繋設固定ボルト用ナット（ダブル、又はワッシャーを用いてもよい）  ３−Ａ−６．建柱斜傾調整ボルト（他に、基台座ステージ固定ボルト、共通）  ３−Ａ−７．筋交い金具（簡易梯子型ステージとの繋設、及び基盤型ステージとの繋設を同じくする）  ３−Ａ−８．杭中打ち込み鉄棒（鉄管パイプでも可、１ｍ〜１．５ｍ位）  ３−Ａ−９．繋設Ｊ鉄筋（建柱受角パイプと杭とを繋設する、繋設具）  ３−Ａ−１０．丸座金（建柱受角パイプの中に設けた杭繋設用ボルトに跨設する金具）  ３−Ａ−１１．丸座金固定ナット（此のナットで固定後に柔練コンクリートの打設となる）  ３−Ａ−１２．アンカーボルト（杭との繋設具の一つで繋設区間の短い場合に用いる）  ３−Ａ−１３．楔鉄板（建柱の挿設後の解離離脱を防止し、固定に働く）  ３−Ａ−１４．アンカーボルト台（基台ステージに繋設して解離離脱に働く）  ３−Ａ−１５．筋交い金具固定具（建柱受角パイプに固設し主に筋交い金具を固設する。）  ３−Ａ−１６．鉄筋組設時の台（基礎構築に際鉄筋を床より浮かせて組設易く、コンクリート打設易く）  ３−Ａ−１７．基台基板ステージ用台コロ（基底盤等床下に鉄筋が組設する場合に用いる）  ３−Ａ−１８．基底盤角パイプ止アングル（建家基礎内に敷設する基底盤の角パイプを受ける基底盤との繋設具）  ３−Ａ−１９．杭パイプキャップ（外杭打設時に装着）  ３−Ａ−２０．∩吊具用貫通口ボルト穴
【図４】〈４−Ａ図〉  ４−Ａ−１．狹少裕地建込正面図（一部透図）  ４−Ａ−２．基台基盤型ユニット図（同上）  ４−Ａ−３．ユニット繋設部材及び主筋穴
【図５】〈５−Ａ図〉  ５−Ａ−１．簡易梯子型基台基礎ユニット図．（一部透図）  ５−Ａ−２．基台基盤型ユニット図．（同上）  ５−Ａ−３．基台基盤長尺型ユニット図．（同上）
【符号の説明】
【００３６】図１〈１−Ａ図〉
１−Ａ−１  割栗事業
１−Ａ−２  捨コンクリート事業
１−Ａ−３  建柱受角パイプ
１−Ａ−４  鉄筋嵌設金具
１−Ａ−５  土台柱受金具
１−Ａ−６  簡易梯子型基台ステージ
１−Ａ−７  アンカーボルト
１−Ａ−８  建柱受角パイプ固設ボルト
１−Ａ−９  主筋（主力筋）
１−Ａ−１０  懸架筋（配力筋）
１−Ａ−１１  筋交い．
１−Ａ−１２  延伸根張り杭（外杭）
１−Ａ−１３  延伸ネジ切り軸棒．
１−Ａ−１４  延伸根張枝杭
１−Ａ−１５  スクリュー座金・袋ナット
１−Ａ−１６  筋交い嵌設ボルト穴
〈１−Ｂ図〉
１−Ｂ−１  布（帯）基礎コンクリート
１−Ｂ−２  建柱受角パイプの建柱胞胎部．
１−Ｂ−３．床下通気口．
１−Ｂ−４  アンカーボルト．
１−Ｂ−５  土台固設金具．
〈１−Ｃ図〉
１−Ｃ−１  アンカーボルト固定金具．
１−Ｃ−２  建柱受角パイプ．
１−Ｃ−３  建柱固定ボルト貫通孔．
１−Ｃ−４  楔鉄板打設口．
１−Ｃ−５  建柱調整ボルト穴．
１−Ｃ−６．筋交い金具．
１−Ｃ−７．繋設ステージ．
１−Ｃ−８．主筋（主力筋）
１−Ｃ−９．繋設鉄板
１−Ｃ−１０  懸架筋（配力筋）
１−Ｃ−１１．Ｌ型配力筋、
１−Ｃ−１２．筋交い固定ボルト
１−Ｃ−１３．配力筋．
図２〈２−Ａ図〉
２−Ａ−１  建柱受角パイプ
２−Ａ−２  簡易梯子型基台ステージ
２−Ａ−３  アンカーボルト
２−Ａ−４  配力筋．
２−Ａ−５  土台柱受金具
２−Ａ−６  筋交い金具．
２−Ａ−７  鉄筋嵌設金具．
２−Ａ−８  主筋（主力筋）
２−Ａ−９  差し筋
２−Ａ−１０  Ｌ型配力筋．
２−Ａ−１１  延伸根張り杭．
２−Ａ−１２．∩型吊金具
２−Ａ−１３  杭繋設Ｊ鉄筋．
２−Ａ−１４．丸座金．
２−Ａ−１５  根張り枝杭．
２−Ａ−１６  杭の延伸軸棒．
２−Ａ−１７．スクリューナット
２−Ａ−１８．杭繋設ボルト．
２−Ａ−１９．建柱受止ボルト．
２−Ａ−２０．建柱受角パイプ
２−Ａ−２１．ステージ内側組設図（左）
２−Ａ−２２．ステージ内側組設図（右）
２−Ａ−２３．アンカーボルト台．
２−Ａ−２４．簡易梯子型ステージ外枠．
２−Ａ−２５．簡易梯子型基台ステージ内枠（左）ボルト固定．
〈２−Ｂ図〉
２−Ｂ−１．Ｇ２．
２−Ｂ−２．根切り（布掘り）
２−Ｂ−３．割栗事業（砕石事業）
２−Ｂ−４．砂利（バラス）
２−Ｂ−５．捨コンクリート打設（鉄筋組設、厚コンクリート）
２−Ｂ−６．延伸根り杭．
２−Ｂ−７．杭の延伸軸棒．
２−Ｂ−８．∩型吊金具．
２−Ｂ−９．基底盤．
２−Ｂ−１０．建柱受角パイプ．
２−Ｂ−１１．底盤筋交い．
２−Ｂ−１２．底盤筋交いボルト締め．
２−Ｂ−１３．筋交い金具上部止め．
２−Ｂ−１４．杭繋設（丸座金、ナット）
２−Ｂ−１５．杭繋設軸棒．
２−Ｂ−１６．簡易梯子型基台ステージ．
２−Ｂ−１７．ステージ繋設鉄板．
２−Ｂ−１８．布（帯）基礎配力筋．
２−Ｂ−１９．筋交い（角パイプ、ステージ間）
２−Ｂ−２０．鉄筋嵌設金具
２−Ｂ−２１．建柱受止ボルト．
２−Ｂ−２２．土台柱受金具．
２−Ｂ−２３．建柱固定ボルト穴．
２−Ｂ−２４．楔鉄板打設口．
２−Ｂ−２５．建柱．
２−Ｂ−２６．建柱受鉄板．
図３〈３−Ａ図〉
３−Ａ−１．延伸根張り杭先端四葉形空窓．
３−Ａ−２．固設ナット．
３−Ａ−３．柔練コンクリート注入口．
３−Ａ−４．建柱繋設固定ボルト．
３−Ａ−５．建柱繋設固定ボルト用ナット．
３−Ａ−６．建柱斜傾調整ボルト．
３−Ａ−７．筋交い金具．
３−Ａ−８．杭中打ち込み用鉄棒．
３−Ａ−９．繋設Ｊ鉄筋．
３−Ａ−１０．丸座金．
３−Ａ−１１．丸座金固定ナット．
３−Ａ−１２．アンカーボルト．
３−Ａ−１３．楔鉄板．
３−Ａ−１４．アンカーボルト台．
３−Ａ−１５．筋交い金具固定具．
３−Ａ−１６．サイコロ．（鉄筋組設用）
３−Ａ−１７．台コロ．（基底盤設置用）
３−Ａ−１８．アングル（基底盤角パイプ接合部用）
３−Ａ−１９．杭パイプキャップ
３−Ａ−２０．∩吊具用貫通口ボルト穴
図４〈４−Ａ図〉
４−Ａ−１．狹少裕地建込正面図（一部透図）
４−Ａ−２．基台基盤型ユニット図（一部透図）
４−Ａ−３．ユニット繋設部材及び主筋穴
４−Ａ−４．杭中  延伸装置
４−Ａ−５．基底盤
４−Ａ−６．基底盤角パイプ設置アングル．
４−Ａ−７．基底盤杭穴
４−Ａ−８．基底盤繋設ボルト穴
図５〈５−Ａ図〉
５−Ａ−１．簡易梯子型基台用ユニット図．
５−Ａ−２．基台基盤型用ユニット図．
５−Ａ−３．基台基盤長尺型用ユニット図．
【図１】
2016084690.tif 000007
【図２】
2016084690.tif 000008
【図３】
2016084690.tif 000009
【図４】
2016084690.tif 000010
【図５】
2016084690.tif 000011